(57)【要約】【課題】フラッシュシンクロ時に防振装置の能力限界を越える強い振れが発生する状況においても、適当な打ち切り秒時を設定することにより、被写体の背景に部分的に明るい部分が有る状態でも、その光が主要被写体に重なって見苦しい写真となってしまうのを防止する。【解決手段】撮影補助光発光装置と、ブレ量検出装置と、ブレ量検出装置のブレ信号に基づいてブレを補正するブレ補正装置を備えるカメラにおいて、ブレ補正装置を駆動させながらフラッシュ撮影を行うときに、シャッターに同期して発光させるフラッシュシンクロ撮影時の最長シャッター時間と、撮影補助光発光装置を発光させないフラッシュ非発光時の最長シャッター時間との関係が、フラッシュシンクロ撮影時の最長シャッター時間がフラッシュ非発光時の最長シャッター時間より短いか、または相等しくなるように構成する。【選択図】図１
2004258679.tif 000002
【特許請求の範囲】
【請求項１】
撮影補助光発光装置と、ブレ量検出装置と、ブレ量検出装置のブレ信号に基づいてブレを補正するブレ補正装置を備えたカメラにおいて、
前記ブレ補正装置を駆動させながらフラッシュ撮影を行うときに、シャッターに同期して発光させるフラッシュシンクロ撮影時の最長シャッター時間と、前記撮影補助光発光装置を発光させないフラッシュ非発光時の最長シャッター時間との関係が、フラッシュシンクロ撮影時の最長シャッター時間がフラッシュ非発光時の最長シャッター時間より短いか、または相等しいことを特徴とするブレ補正装置を備えたカメラ。
【発明の詳細な説明】
【技術分野】
【０００１】
本発明は、ブレ補正装置を備えたカメラに関する。
【背景技術】
【０００２】
従来のこの種の防振装置を有するカメラでは、防振装置を有しないカメラに比較して、シャッター作動の打ち切り秒時は、防振装置の作用によりスローシャッター側に寄せることが可能である。しかし、打ち切り秒時は、ストロボ発光モードと発光禁止モードの切り替え可能なカメラにおいては、各々のモードにおいて存在しているが、双方の関連においてシャッター作動の打ち切り秒時に関し示されたものはない。
【発明の開示】
【発明が解決しようとする課題】
【０００３】
フラッシュ撮影の場合、フラッシュの閃光時間が短いために、主要被写体に関しては手ブレという点では問題にならないが、あまりスローシャッターで撮影すると背景がブレてしまうという問題点があった。特に、背景に部分的に明るい部分がある状態で強いブレが発生すると、その光が主要被写体に重なり見苦しい写真となってしまうという問題点があった。
【０００４】
本発明は、このような状況に鑑みてなされたもので、フラッシュシンクロ時に防振装置の能力限界を越える強い振れが発生する状況においても、適当な打ち切り秒時を設定することにより、被写体の背景に部分的に明るい部分が有る状態でも、その光が主要被写体に重なって見苦しい写真となってしまうのを防止することを目的とする。
【課題を解決するための手段】
【０００５】
上記目的を達成するために本発明は、撮影補助光発光装置と、ブレ量検出装置と、ブレ量検出装置のブレ信号に基づいてブレを補正するブレ補正装置を備えたカメラにおいて、ブレ補正装置を駆動させながらフラッシュ撮影を行うときに、シャッターに同期して発光させるフラッシュシンクロ撮影時の最長シャッター時間と、撮影補助光発光装置を発光させないフラッシュ非発光時の最長シャッター時間との関係が、フラッシュシンクロ撮影時の最長シャッター時間がフラッシュ非発光時の最長シャッター時間より短いか、または相等しくなるように構成されている。
【発明の効果】
【０００６】
以上のように本発明によれば、フラッシュシンクロ時に防振装置の能力限界を越える強い振れが発生する状況においても、適当な打ち切り秒時を設定することにより、被写体の背景に部分的に明るい部分が有る状態でも、その光が主要被写体に重なって見苦しい写真となってしまうのを防止することが可能となる。
【発明を実施するための最良の形態】
【０００７】
以下、本発明の実施例を図面に基づいて説明する。
【実施例１】
【０００８】
図１は、本発明によるブレ補正装置を備えたカメラの一実施例を示すブロック結線図である。
【０００９】
図１において、１は、カメラの手振れ等に伴なう振れ状況を検出するための振れ検出手段であり、操作部材、たとえばカメラの上端部に設けられるシャッタレリーズ釦（図示せず）の半押し操作によって、半押しスイッチＳＷ１がオンし、これによりカメラ内に設けられるＣＰＵ２が、この振れ量検出手段１を起動させ、かつ所定の時間経過後において振れ量検出手段１が、カメラ本体の振れ量を検出するようになっている。ＣＰＵ２は、レリーズ釦の半押しスイッチＳＷ１と共に、振れ検出制御手段として用いられる。
【００１０】
３は、カメラ内に装填されるフィルムのＩＳＯ感度を検出するフィルム感度検出手段である。４は、カメラ内に設けられる振れ補正手段であり、図示しないレリーズ釦を全押し操作することにより全押しスイッチＳＷ２がオンして、ＣＰＵ２が振れ量検出手段１の検出（振れ量）による補正を、振れ補正手段４に指令し、振れ補正手段４が、撮影光学系Ｌ１の一部の光学系（振れ補正光学系Ｌ３）の駆動系５を駆動し、振れ補正光学系Ｌ３を図中上下方向（光軸に垂直な方向）にシフト駆動させて像振れ補正を行う。
【００１１】
６および７は、被写体までの距離の測距と、被写体輝度の測光を行う測距手段および測光手段であり、レリーズ釦の半押し操作（ＳＷ１オン）により、ＣＰＵ２が測距手段６や測光手段７を起動させ、その起動によりそれぞれ測距や測光を実行する。
【００１２】
８は、フォーカシング制御手段で、測距手段６の出力（測距結果）信号に応じて、ＣＰＵ２がフォーカシング制御手段８にオートフォーカス（自動焦点合わせ）を指令し、この指令によりフォーカシング制御手段８が合焦光学系Ｌ２の駆動系９（フォーカシング手段）を介して、同光学系Ｌ２を駆動させてオートフォーカスが行われる。
【００１３】
１０は、露出制御手段であって、測光手段７の出力（測光結果）信号に応じて、ＣＰＵ２が絞り値に対応した絞りの制御を、露出制御手段１０に指令し、この指令によって露出制御手段１０が絞り部材１１を駆動制御して露出の制御が行われるようになっている。
【００１４】
次に、ＣＰＵ２の動作を図２のフローチャートで説明する。
【００１５】
カメラの主電源スイッチをオンにした状態において、レリーズ釦を半押しにすると、図２においてステップＳ１０１からＳ１０２に進み、スイッチＳＷ１のオンにより、Ｓ１０３に進んでＣＰＵ２がバッテリが不足しているか否かをチェックする。
【００１６】
また、バッテリが充分であると判断された時は、Ｓ１０４に進んで、振れ検出手段を起動させ、さらにＳ１０５でセンサ信号のサンプリングを開始する。
【００１７】
そして、Ｓ１０６に進み、被写体の測光および測距が行われ、次いでＳ１０７で露出演算が行われ、ＳＢ（ストロボ）モードでの撮影を行うか否かのデータを得た後、Ｓ１０８でＦＭ演算を行い、ＳＢ発光時の絞り値を決定する。
【００１８】
Ｓ１０９において測距結果からフォーカシングレンズ一を算出し、Ｓ１１０で図７に示したＳＢモード判定ステップによってＳＢ発光撮影状況か否かを判断し、ＳＢ発光が必要である場合は、Ｓ１１１でＳ１０６での測距結果が所定値Ａ以上なら、Ｓ１１２の低速ＡＥモードに設定された撮影動作を行う。所定値Ａよりも近い場合は、Ｓ１１３で外部操作スイッチによる選択によってＳＢ発光禁止モードに設定されているかの判断が行われ、ＳＢ発光禁止であるときには、Ｓ１１２の低速ＡＥモードに設定される。ＳＢ波高禁止モードでないなら、Ｓ１１３からＳ１１４に進み、スローシンクロモードか否かの判定が行われ、スローシンクロモードであれば、Ｓ１１６のスローシンクロモード、そうでなければＳ１１５に進んでＳＢモードでの撮影が行われることになる。
【００１９】
Ｓ１１０でＳＢ発光不要であると判断されると、Ｓ１１８に進み、外部操作スイッチによる選択によって強制ＳＢモードか否かの判断が行われ、強制発光であると、Ｓ１１５のＳＢモードになり、そうでなければＳ１１９で高速ＡＥモードに設定されて撮影が行われる。
【００２０】
各モード終了後は、Ｓ１１７でフィルムの一コマ巻上げが行われて動作を終了する。
【００２１】
図３は低速ＡＥモード（図２のＳ１１２）での動作を示すものであり、Ｓ２０１で低速ＡＥモードに入り、Ｓ２０２でレリーズ釦が半押しスイッチＳＷ１がオンしているか否かの判断が行われる。
【００２２】
ここで、ＳＷ１がオンでなければ、図２におけるＳ１０２に戻る。
【００２３】
また、半押しスイッチＳＷ１がオンであれば、Ｓ２０３に進み、レリーズ釦が全押し操作されているか否かの判定が行われ、全押し操作されている場合は、Ｓ２１２に進み、タイマをスタートさせる。
【００２４】
次いで、Ｓ２０４に進み、Ｓ１０９で算出した値に基づきフォーカシングレンズである合焦光学系Ｌ２を所定位置に駆動系９（図１参照）で移動させる。
【００２５】
ここで、測距結果が遠いときは、合焦光学系Ｌ２は、図１中Ｌ２″の位置に、測距結果が近いときはＬ２′の位置になり、遠い側ほど移動量が大きくなり、フォーカシング時間も長くなる。
【００２６】
ここで、移動手段は、図１中符号９で示したように、たとえばステッピングモータＭを駆動し、ラックピニオンを介して合焦光学系Ｌ２を光軸方向に移動させるようになっている。
【００２７】
Ｓ２１３においてフォーカシング動作が終了した後、所定時間が経過したか否かが判断され、このＳ２１３で所定時間が経過したことを判断されると、Ｓ２０５でセンサ信号のサンプリングを終了し、Ｓ２０６で振れ量算出の判断基準を演算し、現在の振れ量の算出が行われ、その算出振れ量に基づいて振れ補正手段を駆動することにより、振れ補正レンズＬ３の振れ補正動作が開始される。
【００２８】
この振れ補正動作は、振れ量に応じて、たとえばモータＭを回転し、ラックピニオンを介して振れ補正レンズＬ３を光軸に対し直交する方向にシフト移動させることにより行われる。
【００２９】
次いで、Ｓ２０７でシャッタ１１を開き始め、Ｓ２０８では所定のシャッタ秒時より長くならないように、リミッタつまり打ち切り秒時を定めていることから、その秒時を越えたならＳ２１０に進み、シャッタ１１を閉じる、
【００３０】
一方、所定の秒時に達しない場合は、Ｓ２０９でＳ１０７で算出した適正露出値になったか否かを判断し、適正値になったらＳ２１０に進み、シャッタ１１を閉じるようになっている。そして、Ｓ２１１において図２のメインルーチンにリターンする。
【００３１】
図４はＳＢモード（図２のＳ１１５）での動作を示すものであり、Ｓ３０１でＳＢモードに入る。このモードは、リミッタ秒時がＡＥモードのリミッタ秒時よりも短い場合である。
【００３２】
Ｓ３０１〜Ｓ３０３のＳＢモード、ＳＷ１のオンチェック、ＳＷ２のオンチェックは、前述した図３のＳ２０１〜Ｓ２０３と同じであり、Ｓ３０４でＳＢの充電状態を判断し、充電が完了していなければＳ３０２に戻る。さらに、Ｓ３０５〜Ｓ３０８のフォーカシング、センサ信号サンプリング終了、振れ補正開始、シャッタ開は、前述した図３のＳ２０４〜Ｓ２０７とタイマカウントを行わない以外は略同じである。
【００３３】
Ｓ３０９では、シャッタ（レンズシャッタ）１１が所定の下値になったか否かを判断し、所定の下値（Ｓ１０８での演算結果）になったら、Ｓ３１０でＳＢを発光させる。
【００３４】
なお、Ｓ３１１〜Ｓ３１４の打ち切り秒時チェック、所定露出チェック、シャッタ閉、リターンは、図３でのＳ２０８〜Ｓ２１１と同じであり、詳細な説明は省略する。
【００３５】
図５はスローシンクロモード（図２のＳ１１６）での動作を示すものであり、このモードはリミッタ秒時がＡＥモードのリミッタ秒時と同じである。
【００３６】
ここで、Ｓ４０１〜Ｓ４０９におけるスローシンクロモード、ＳＷ１オンチェック、ＳＷ２オンチェック、タイマスタート、フォーカシング、タイムアップ、センサ信号サンプリング終了、振れ補正開始、シャッタ開は、前述した図２のＳ２０１〜Ｓ２０７（Ｓ２１２、Ｓ２１３によるタイマカウント制御を含む）と同じであり、その説明は省略する。
【００３７】
さらに、Ｓ４１０〜Ｓ４１５の所定の下値チェック、ＳＢ発光、打ち切り秒時チェック、所定露出チェック、シャッタ閉、リターンは、前述した図４におけるＳ３０９〜Ｓ３１４と同じであり、単にリミッタ秒時がＳＢ発光モードよりも長いだけである。
【００３８】
図６は高速ＡＥモード（図２のＳ１１９）の動作を示し、このモードでの動作は、前述した図３での低速ＡＥモードとＳ２１２、Ｓ２１３でのタイマカウント制御がないだけで、その概略は略同じであり、詳細な説明は省略する。
【００３９】
ここで、図７においてＳ６０１のＳＢモード判定（図２のＳ１１０）は、同図から明らかなように、Ｓ６０２で被写体輝度が所定値Ｂよりも小さいか否かの判断が行われ、大きいときにはＳ６０６にジャンプして非ＳＢモードとされてＳ６０５によりリターンする一方、所定値Ｂと略等しいかまたは小さいことが判断されると、Ｓ６０３でフィルム感度（ＩＳＯ）が所定値Ｃと比較され、等しいかあるいは小さいときにＳ６０４でＳＢモードと選択されることは容易に理解されよう。
【００４０】
なお、本発明は上述した実施例構造には限定されず、各部の構成等を適宜変形、変更し得ることは言うまでもない。
【００４１】
たとえば上述した実施例では、振れ量検出基準値の算出を、レリーズ釦の半押しスイッチＳＷ１に連動してＣＰＵ２により行わせているが、これに限らず、専用のスイッチ操作部を設けてもよい。
【００４２】
図８は、防振センサー（振れ量検出手段１）の出力波形と、シフトレンズ（振れ補正光学系Ｌ３）の作動波形を示す。図８の上方に示す信号Ｓ１は、半押しスイッチの状態を示し、ラインが下にあるとＯＮ、ラインが上にあるとＯＦＦである。また信号Ｓ２は、全押しスイッチの状態を示し、ラインが下にあるとＯＮ、ラインが上にあるとＯＦＦである。「ＣＡＭＥＲＡ  ＳＨＡＫＥ」は、角速度（ＡＮＧＵＬＡＲ ＶＥＬＯＣＩＴＹ）センサー（振れ量検出手段１）の出力波形を示す。出力にはＰＩＴＣＨとＹＡＷの２方向がある。「ＬＥＮＳ  ＰＯＳＩＴＩＯＮ」は、シフトレンズ（振れ補正光学系Ｌ３）の位置を示す。シフトレンズ（振れ補正光学系Ｌ３）の位置は、角速度センサー（振れ量検出手段１）の出力を積分することにより求めて制御する。ヨー（ＹＡＷ）方向のシフトレンズ位置に注目すると、露出時間中（幅ＥＸＰ．で示す。ここでは１／４秒間）のレンズ移動量の最大値Δとなる。レンズ位置の上限位置を（ａ）で示すと、シャッター閉成直後の波形が直線になり（ａ）に一致する。シャッター露出期間中の点（ｂ）においても、この（ａ）に一致している。このライン（ａ）は、レンズの光学上メカ上、制御回路上の制御により決定される。すなわち、これがブレ補正量の最大値である。
【００４３】
振れシフト量の最大値は、露出時間に比例する。すなわち、露出時間が長くなると振れシフト量の最大値も増大する。これは図８からも明かで、ＹＡＷの波形において露出時間が長くなると、シフトレンズの位置が（ａ）のラインから上方へ行こうとしながら制限に当接し、結果として防振の効果がなくなる。すなわち、当実施例で示したカメラにおいては、最大露出時間は１／４秒とするのが妥当な値である。
【００４４】
表１は、図８で示される打ち切りの秒時の具体例を示す。
【表１】
2004258679.tif 000003
【００４５】
表１では、フラッシュシンクロ撮影時のフラッシュシンクロ撮影時の最長シャッター時間と、フラッシュ非発光時の最長シャッター時間で、フラッシュシンクロ撮影時の最長シャッター時間はフラッシュ非発光時の最長シャッター時間より短いか、または、相等しいように設定されている。
【００４６】
即ち、防振装置（振れ補正手段４）ＶＲがＯＮの時（第１行）は、スローシンクロの打ち切り秒時は１／４秒、フラッシュオフの時の打ち切り秒時も１／４秒に設定され、スローシンクロとフラッシュオフの打ち切り秒時は等しく設定されている。なお、スローシンクロの打ち切り秒時≦フラッシュオフの打ち切り秒時の関係に設定しても良い。また、ＳＢオート時と、スローシンクロ時のシャッター打ち切り秒時を変えたが、ＶＲのＯＮ時はオート時もスローシンクロ時と同一でも良い。
【００４７】
防振装置（振れ補正手段４）ＶＲがＯＦＦの時（第２行）は、防振装置のない従来のカメラと同様に、スローシンクロ時の打ち切り秒時は１／１５に設定されている。また、ＳＢオフの時は三脚撮影を配慮し、１／４秒に設定している。フラッシュシンクロ時は主要被写体はフラッシュで照明されるため、発光禁止時よりは鮮明に撮影され、背景に光源等強い光が更に存在すると、よりブレが目立ちやすいため、防振撮影時におけるフラッシュ撮影時は発光禁止時よりもシャッター速度を速くするべきではないからである。
【産業上の利用可能性】
【００４８】
ブレ補正装置を備えたカメラに適用できる。
【図面の簡単な説明】
【００４９】
【図１】本発明によるブレ補正装置を備えたカメラの一実施例を示すブロック結線図である。
【図２】本発明によるブレ補正装置を備えたカメラの一実施例を示すフローチャートである。
【図３】本発明によるブレ補正装置を備えたカメラの一実施例を示すフローチャートである。
【図４】本発明によるブレ補正装置を備えたカメラの一実施例を示すフローチャートである。
【図５】本発明によるブレ補正装置を備えたカメラの一実施例を示すフローチャートである。
【図６】本発明によるブレ補正装置を備えたカメラの一実施例を示すフローチャートである。
【図７】本発明によるブレ補正装置を備えたカメラの一実施例を示すフローチャートである。
【図８】本発明によるブレ補正装置を備えたカメラの一実施例を示す特性図である。
【符号の説明】
【００５０】
１    振れ量検出手段
２    ＣＰＵ
４    振れ補正手段
５    駆動系
６    測距手段
７    測光手段
８    フォーカシング制御手段
９    駆動系
１０    露出制御手段
１１    絞り部材
【図１】
2004258679.tif 000004
【図２】
2004258679.tif 000005
【図３】
2004258679.tif 000006
【図４】
2004258679.tif 000007
【図５】
2004258679.tif 000008
【図６】
2004258679.tif 000009
【図７】
2004258679.tif 000010
【図８】
2004258679.tif 000011